(57)【要約】【構成】管継手１０は管部３４を含み、管部３４の両端にそれぞれ流入口２６および流出口２８を有する。管部３４が水平方向および垂直方向に９０°曲がることにより、流入口２６は水平方向に開口し、流出口２８は下方に開口する。また、管部３４の上面は、流入口２６から流出口２８に向かって、斜め下方へ湾曲する。【効果】管部３４の上面は、規制部として、偏心流入した排水が流入口２６の管頂部より上に流れないように制限し、斜め下方へ導くことにより、流入口２６から流入した排水が上面に衝突すると、排水が旋回させられ、かつ下方への流速が増す。このため、旋回流が確実に発生させられ、それにより旋回流による通気が確保され、封水破壊が防止される。【選択図】図１
2007309415.tif 000002
【特許請求の範囲】
【請求項１】
水平方向に開口する流入口、
前記流入口の下方に配置され、垂直方向に開口し、かつ前記流入口に対して偏心する流出口、および
前記流入口から流入した排水を前記流入口の管頂部より上方へ流れるのを規制する規制部を備える、管継手。
【発明の詳細な説明】
【技術分野】
【０００１】
この発明は、管継手に関し、特にたとえば、水平方向に配置される排水横管の下流側端部と垂直方向に配置される排水縦管の上側端部とを繋ぐ、管継手に関する。
【背景技術】
【０００２】
従来の管継手の一例が、特許文献１に開示されている。この特許文献１の流入継手は、円筒形状であって、その上端は平らな上面で覆われている。そして、流入継手の側面に横排水管接続部が設けられ、横排水管接続部が水平方向に延びて、上階横排水管と接合されている。流入継手の下方に小径部が設けられ、小径部の下端が縦排水管に接続されている。また、流入継手の内面に羽根板が設けられ、これにより排水の旋回が補強される。
【特許文献１】特開２００３−３４２９８４号公報［Ｅ０３Ｃ  １／１２２、Ｅ０３Ｃ  １／１２、Ｆ１６Ｌ  ４３／００、Ｆ１６Ｌ  ５５／００］
【発明の開示】
【発明が解決しようとする課題】
【０００３】
特許文献１の従来技術では、流入継手の上面が平らなため、横排水管接続部より上方に大きな空間が形成される。これにより、排水が横排水管接続部から勢いよく流入すると、排水の一部が流入継手の内面上を旋回せずに、真直ぐ流入し流入継手の奥の内面に衝突して、周囲に飛び散る。この場合、排水の流れが乱れて、旋回流の速度が弱められる恐れがあるため、羽根板などの旋回を補強するものが必要となる。また、羽根板の枚数および設置位置にもよるが、流入継手の形状が複雑になり、その製造が困難な場合がある。
【０００４】
それゆえに、この発明の主たる目的は、排水を確実に旋回させることができる、管継手を提供することである。
【課題を解決するための手段】
【０００５】
請求項１の発明は、水平方向に開口する流入口、流入口の下方に配置され、垂直方向に開口し、かつ流入口に対して偏心する流出口、および流入口から流入した排水を流入口の管頂部より上方へ流れるのを規制する規制部を備える、管継手である。
【０００６】
請求項１の発明では、排水は流入口（２６：実施例において相当する部分を例示する参照符号。以下同じ。）から偏心流入し、内面に沿って旋回する。排水が旋回すると、旋回流の中心に空気芯が形成され、この空気芯により管継手（１０）の通気が確保されるため、排水は閉塞することなく流出口（２８）へスムーズに流下する。よって、管継手（１０）が排水性能に優れるとともに、管継手（１０）の中に減圧が生じず、管継手（１０）に繋がる排水設備の封水破壊が防止される。
【０００７】
また、規制部（２４ａ）により偏心流入した排水が上方に向かって流れることを規制して、排水を下方へ導くと、旋回する排水の流れが調えられ、かつ排水の流下速度が高められるため、排水が確実に旋回しながら、速やかに流出口（２８）から排出される。よって、排水性能が向上し、しかも旋回を補強する部材を必要とせず、管継手（１０）の形状を単純にすることができる。
【発明の効果】
【０００８】
この発明によれば、流入口を流出口に対して偏心して設けられ、かつ規制部を設けることにより、排水を確実に旋回させられる。
【０００９】
この発明の上述の目的，その他の目的，特徴および利点は、図面を参照して行う以下の実施例の詳細な説明から一層明らかとなろう。
【発明を実施するための最良の形態】
【００１０】
図１に示すこの発明の一実施例である管継手１０は、たとえば、図２に示す排水配管１２において、排水横管１４の下流側端部と排水縦管１６の上側端部とを接続する部分に用いられる。
【００１１】
排水配管１２は、排水横管１４および排水縦管１６を管継手１０および脚部継手１８で接続して形成され、たとえば建物内の排水設備（図示せず）と宅地ます２０との間に敷設される。
【００１２】
排水横管１４および排水縦管１６には、塩化ビニル樹脂などの合成樹脂で形成された直管などが用いられる。排水横管１４は、水平方向または、上流側から下流側に向かって下り勾配となるように配置され、排水縦管１６は垂直方向に配置される。
【００１３】
この実施例では、排水設備と宅地ます２０との間に、たとえば４本の排水横管１４、つまり第１排水横管１４ａ、第２排水横管１４ｂ、第３排水横管１４ｃおよび第４排水横管１４ｄが用いられ、４本の排水縦管１６、つまり第１排水縦管１６ａ、第２排水縦管１６ｂおよび第３排水縦管１６ｃが用いられる。そして、各排水横管１４の下流側端部と各排水縦管１６の上側端部とが管継手１０で繋げられ、各排水横管１４の上流側端部と各排水縦管１６の下側端部とが９０°ベンドなどの脚部継手１８で繋げられる。これにより、第１排水横管１４ａ、第１排水縦管１６ａ、第２排水横管１４ｂ、第２排水縦管１６ｂ、第３排水横管１４ｃ、第３排水縦管１６ｃおよび第４排水横管１４ｄはこの順番で接続される。そして、第１排水横管１４ａは、建物の２階および３階などの低い階に配置され、その上流側端部は各階に設置された排水設備に接合される。第１排水縦管１６ａは、低い階と基礎２２との間に配置される。第２排水横管１４ｂは、床下の基礎２２上に配置され、第２排水縦管１６ｂおよび第３排水縦管１６ｃは基礎２２を貫通して屋内から屋外に延び、第３排水縦管１６ｃおよび第４排水横管１４ｄは土中に埋設され、第４排水横管１４ｄの下流側端部は宅地ます２０に接合される。
【００１４】
管継手１０は、塩化ビニル樹脂など合成樹脂で形成され、図１〜図９に示すように、管部２４を含む。管部２４は円筒形状であって、その両端部に流入口２６および流出口２８を有し、これらはそれぞれ受口で形成される。管部２４は、流入口２６から流出口２８に向かって、図８では左回りに９０°曲がりながら、垂直方向の下側に９０°曲がる。
【００１５】
流入口２６は、管継手１０の最も高い位置に設けられ、水平方向に開口する。一方、流出口２８は、流入口２６より下方であって、管継手１０の最も低い位置に設けられ、垂直方向の下側方に開口する。そして、流出口２８は、その軸３０が流入口２６の軸３２から一方側に偏って、これらの軸３０、３２が交わらないように、流入口２６に対して偏心して形成される。たとえば、図４および図８では右側に偏ることにより、流入口２６から流入した排水に左回りの旋回流を発生させる。
【００１６】
また、管部２４に規制部が設けられる。規制部は、流入口２６と対向する管部２４の内面２４ａであって、排水が流入口２６から直線状に流入した際に排水が管部２４と衝突する部分である。内面２４ａは、流入口２６から流出口２８に向かって側方に曲がりながら、下方へ傾斜する。これにより、内面２４ａは、内面２４ａに衝突した排水が流入口２６の管頂部より上方に向かって流れることを制限して、排水を下方へ導く。
【００１７】
このような排水配管１２において、排水設備から排水すると、排水は第１排水横管１４ａを流れて、流入口２６から管継手１０に偏心流入する。流入した排水は管部２４の内面に沿って旋回しながら流出口２８へ流れ、流出口２８から排出される。そして、排水は旋回しながら第１排水縦管１６ａおよび脚部継手１８を流下し、脚部継手１８で垂直方向から水平方向へ向きを変えて、第２排水横管１４ｂを通り、次の管継手１０へ流れる。ここで再び、排水は管部２４の内面に沿って旋回させられて、流出口２８から流出し、第２排水縦管１６ｂおよび脚部継手１８を旋回しながら流下し、第３排水横管１４ｃを流れる。それから、排水は、管継手１０に偏心流入して旋回し、旋回流のまま第３排水縦管１６ｃおよび脚部継手１８を流れ落ち、第４排水横管１４ｄを通り、宅地ます２０へ流入する。
【００１８】
このように、管継手１０で排水に旋回流を発生させて、旋回した排水を排水縦管１６および脚部継手１８に流すことにより、管継手１０、排水縦管１６および脚部継手１８において旋回流の中心に空気芯が形成される。そして、管継手１０、排水縦管１６および脚部継手１８における通気がこの空気芯により確保されるため、排水がスムーズに流れるとともに、排水の上流側に減圧が生じず、排水設備の封水破壊が防がれる。
【００１９】
また、排水量が多い場合、または排水の流速が早い場合、排水の一部または全ては、流入口２６から直線状に進み、管部２４の内面２４ａに衝突する。この内面２４ａが左回りおよび下方へ湾曲することにより、衝突した排水は、内面２４ａにより左斜め下へ方向を変えられるため、左回りに旋回する排水の流れが整えられ、かつ排水の流下速度が高められる。このため、排水能力が向上する上、旋回を補強する部材を必要とせず、管継手１０の形状をシンプルに形成することができる。
【００２０】
図１０に示すこの発明の他の実施例である管継手１０は、図１に示す管継手１０とほぼ同じであるが、管部３４の形状が異なる。これ以外の部分に関しては図１実施例の示す管継手１０と同様であるため、共通する部分については同じ番号を付して、その番号の説明は省略している。
【００２１】
管部３４は、図１０〜図１８に示すように、流入側管部３６および流出側管部３８を有し、これらは一体的に形成される。
【００２２】
流入側管部３６は円筒形状であって、その一方端に流入口２６を有し、他方端が流出側管部３８の側面に接続される。そして、流入側管部３６は流入口２６から流出側管部３８に向かって、図１０および図１５では左回りに９０°曲がりながら、垂直方向の下側に曲がる。そして、流入口２６と対向する流入側管部３６の内面２４ａは、流入口２６から流出口２８に向かって図１０および図１５では左回りに曲がりながら、下方へ傾斜し、規制部として用いられる。
【００２３】
流出側管部３８は直線状に延びる円筒形状であって、その下端に流出口２８を有し、上端に蓋４０が嵌められている。
【００２４】
蓋４０は上部４２、側部４４および下部４６を有し、これらは一体的に形成される。上部４２は円盤形状であって、その径は流出側管部３８の外径と同じまたはほぼ同じに設定される。このため、蓋４０を流出側管部３８の上端開口に挿入すると、上部４２は流出側管部３８の上端に係止される。また、側部４４は円筒形状であって、その外径は流出側管部３８の内径より少し小さく設定される。このため、蓋４０を流出側管部３８に嵌めれば、側部４４の外面が流出側管部３８の内径と接し、これらの間に隙間が開かないことにより、排水の乱れが防止される。下部４６は湾曲面状であって、流入側管部３６の内面を延長するように形成される。つまり、下部４６は、図１７に示すように、流出口２８の軸３０に平行な断面において流入側管部３６から流出口２８に向かって斜め下側に向かって湾曲し、かつ図１８に示すように、流入口２６の軸３２に平行な断面においても流入口２６から流出口２８に向かって斜め下側に向かって湾曲する。
【００２５】
このような管継手１０を用いた排水配管１２に排水が流れると、排水は、流入口２６から偏心流入し、流入側管部３６の内面に沿って旋回し、その旋回したまま流出側管部３８を流下して、流出口２８から排出される。
【００２６】
また、多量または高速の排水が管継手１０に流入すると、排水は、流入口２６から直線状に進み、内面２４ａに衝突する。この衝突により、その排水の流れ方向は旋回方向および下方へ変換されるため、旋回する排水の流れは整えられて、流出口２８へ落とし込まれる。そして、排水は流出側管部３８の内面上および蓋４０の下部４６上を旋回しながら、流出口２８へ流下する。
【００２７】
なお、上で挙げた角度や寸法の具体的数値はいずれも単なる一例であり、必要に応じて適宜変更可能である。
【図面の簡単な説明】
【００２８】
【図１】この発明の一実施例の管継手を示す斜視図である。
【図２】図１の管継手で排水横管の下流側端部と排水縦管の上側端部とを接続し、脚部継手で排水横管の上流側端部と排水縦管の下側端部とを接続することにより、排水配管を形成した状態を示す図解図である。
【図３】図１の管継手を示す斜視図である。
【図４】図１の管継手の正面側を示す平面図である。
【図５】図１の管継手の右側面側を示す平面図である。
【図６】図１の管継手の左側面側を示す平面図である。
【図７】図１の管継手の背面側を示す平面図である。
【図８】図１の管継手の上面側を示す平面図である。
【図９】図１の管継手の下面側を示す平面図である。
【図１０】この発明の別の実施例の管継手を示す斜視図である。
【図１１】図１０の管継手の正面側を示す平面図である。
【図１２】図１０の管継手の右側面側を示す平面図である。
【図１３】図１０の管継手の左側面側を示す平面図である。
【図１４】図１０の管継手の背面側を示す平面図である。
【図１５】図１０の管継手の上面側を示す平面図である。
【図１６】図１０の管継手の下面側を示す平面図である。
【図１７】図１０の管継手を示す断面図である。
【図１８】図１０の管継手を示す断面図である。
【符号の説明】
【００２９】
１０…管継手
２４ａ…管部の内面
２６…流入口
２８…流出口
【図１】
2007309415.tif 000003
【図２】
2007309415.tif 000004
【図３】
2007309415.tif 000005
【図４】
2007309415.tif 000006
【図５】
2007309415.tif 000007
【図６】
2007309415.tif 000008
【図７】
2007309415.tif 000009
【図８】
2007309415.tif 000010
【図９】
2007309415.tif 000011
【図１０】
2007309415.tif 000012
【図１１】
2007309415.tif 000013
【図１２】
2007309415.tif 000014
【図１３】
2007309415.tif 000015
【図１４】
2007309415.tif 000016
【図１５】
2007309415.tif 000017
【図１６】
2007309415.tif 000018
【図１７】
2007309415.tif 000019
【図１８】
2007309415.tif 000020